【手続補正書】
【提出日】平成19年6月6日(2007.6.6)
【手続補正１】
【補正対象書類名】明細書
【補正対象項目名】特許請求の範囲
【補正方法】変更
【補正の内容】
【特許請求の範囲】
【請求項１】  床を覆って、取り外し可能な装飾床被覆材を支える表面を形成する下地床であって、
取り外し可能な取り付け手段によっておおむね覆われている第１上面をそれぞれ有する複数のアンカーシートであって、床をおおむね覆うように配列されて下地床を形成する複数のアンカーシートと、
下地床の上面から床へ延在する複数の通路であって、下地床の上面から座ぐりを入れた部分を有し、下地床面の下に第１支持表面を形成する通路と、
取り外し可能な取り付け手段によっておおむね覆われている第２上面をそれぞれ有する複数の取り付け装置であって、通路に嵌合する形状を有し、より広い上部を有して第２支持表面を作る複数の取り付け装置であり、第２支持表面が、第１支持表面と向き合うように通路に挿入され、少なくともいくつかの取り付け装置が床に取り付けられている複数の取り付け装置とを含むことを特徴とする下地床。
【請求項２】  アンカーシートが、下部を切欠いて、アンカーシートのオーバーハング区域と、オーバーハングのおおむね下に少なくとも２つの隣接する下端部とを作った少なくとも２つの隣接する端部を有し、
アンカーシートが、上部を切欠いて、アンカーシートのアンダーレイ区域を作り、アンダーレイの外端部に少なくとも２つの隣接するアンダーレイ端部を残した少なくとも２つの隣接する端部を有し、
複数のアンカーシートが、床をおおむね覆うようにオーバーラップして配列されて下地床を形成することを特徴とする請求項１に記載の下地床。
【請求項３】  取り外し可能手段が、フックおよびループ取り付けシステムで用いるフックであることを特徴とする請求項１または請求項２に記載の下地床。
【請求項４】  アンカーシートが、第１弾性層で覆われた第１下面を第１上面と向かい合って有し、
取り付け装置が、第２弾性層で覆われた第２下面を第２上面と向かい合って有することを特徴とする請求項３に記載の下地床。
【請求項５】  第１弾性層および第２弾性層が、弾性クッションの特性を有する構造であることを特徴とする請求項４に記載の下地床。
【請求項６】  アンカーシートが多角形であり、コーナを有し、少なくともいくつかのコーナが集合し、少なくとも１つの通路が、集合する少なくともいくつかのコーナの頂点の交点に位置することを特徴とする請求項３に記載の下地床。
【請求項７】  通路が、おおむねすべての集合するコーナの頂点の交点に位置することを特徴とする請求項６に記載の下地床。
【請求項８】  いくつかの取り付け装置が、アンカーシートに取り付けられることを特徴とする請求項３に記載の下地床。
【請求項９】  アンカーシートが矩形であることを特徴とする請求項３に記載の下地床。
【請求項１０】  アンカーシートが正多角形であることを特徴とする請求項３に記載の下地床。
【請求項１１】  アンカーシートが、軟質剛性上面を有することを特徴とする請求項３に記載の下地床。
【請求項１２】  通路に挿入された複数の取り付け装置が通路より小さく、したがって、周囲のアンカーシートが取り付け装置に対して動くことができ、さらに隣接するアンカーシートとの間に間隙があって膨張収縮できるようにアンカーシートが設置されていることを特徴とする請求項３に記載の下地床。
【請求項１３】  少なくとも１つの通路が、下端部およびアンダーレイ端部の任意の２つによって形成された角部頂点に位置することを特徴とする請求項２に記載の下地床。
【請求項１４】  アンカーシートが、オーバーラップする装飾被覆材のループに取り付けるためのフックによっておおむね覆われている第１上面をそれぞれ有し、弾性クッション層をそれぞれ有する第１下層を有する、正方形のアンカーシートであり、
各アンカーシートが、下部を切欠いて、アンカーシートのオーバーハング区域と、オーバーハングのおおむね下に少なくとも２つの隣接する下端部とを作った２つの隣接する端部を有し、さらに、上部を切欠いて、アンカーシートのアンダーレイ区域を作り、アンダーレイの外端部に少なくとも２つの隣接するアンダーレイ端部を残した２つの隣接する端部を有し、
複数のアンカーシートがチェス盤模様に配列され、その際、アンカーシートのオーバーハング区域が２つの隣接するアンカーシートのアンダーレイ区域の一部にオーバーラップし、
通路が、任意の２つの下端部によって形成された角部のほぼ頂点に位置する円形の通路であり、
取り付け装置が、フックによっておおむね覆われたその第２上面をそれぞれ有し、弾性クッション層を有する第２下層をそれぞれ有する円形の取り付け装置であることを特徴とする請求項１に記載の下地床。
【請求項１５】  床上にアンカーシート下地床を設置する方法であって、下地床が取り外し可能な装飾床被覆材を支え、前記アンカーシートが、アンカーシートのコーナに第１形状の第１区域の削厚の凹段区画と、第１区域内に、第２形状のより小さな第２区域の完全切除部を有し、
アンカーシートを床上に敷くステップと、
アンカーシートのコーナを突き合わせるようにアンカーシートを整列させるステップと、
アンカーシートのコーナによって形成される頂点の完全切除区域に取り付け装置を挿入するステップと、
少なくともいくつかの取り付け装置を、床あるいはそれがオーバーラップするアンカーシートに取り付けるステップとを含むことを特徴とする方法。
【請求項１６】  少なくともいくつかの取り付け装置を床あるいはそれがオーバーラップするアンカーシートに取り付けるステップが、いくつかの取り付け装置を床に取り付け、残りの取り付け装置をそれがオーバーラップするアンカーシートに取り付けるステップからなることを特徴とする請求項１５に記載の方法。
【請求項１７】  少なくともいくつかの取り付け装置を床あるいはそれがオーバーラップするアンカーシートに取り付けるステップが、すべての取り付け装置をそれがオーバーラップするアンカーシートに取り付けるステップからなることを特徴とする請求項１５に記載の方法。
【請求項１８】  少なくともいくつかの取り付け装置を床あるいはそれがオーバーラップするアンカーシートに取り付けるステップが、すべての取り付け装置を床に取り付けるステップからなることを特徴とする請求項１５に記載の方法。
【請求項１９】  アンカーシートおよび取り付け装置に、装飾被覆材を取り外し可能に取り付けるステップをさらに含むことを特徴とする請求項１５に記載の方法。
【請求項２０】  取り付け装置が第１区域および第２区域より小さく、床上にアンカーシートを敷くステップが、隣接するアンカーシートとの間に間隙があるように床上にアンカーシートを敷くステップを含むことを特徴とする請求項１８に記載の方法。
【請求項２１】  裏側が弾性クッションで覆われたおおむね平らな正方形下層部、および上側がフックでおおむね覆われた、下層部と同じサイズのおおむね平らな正方形上層部を有する形状のアンカーシートであって、
２つの隣接する端部に沿って上層部が下層部から等量ずれて、下層部の２つの隣接部分を露出させ、
アンカーシートを貫通し、下層部によって形成されたコーナを中心として、座ぐり穴を形成することを特徴とするアンカーシート。
【請求項２２】  床上にアンカーシート下地床を設置する方法であって、下地床が取り外し可能な装飾床被覆材を支え、前記アンカーシートが、オーバーラップするように設計され、アンカーシートのコーナに第１形状の第１区域の削厚の凹段区画と、第１区域内に、第２形状のより小さな第２区域の完全切除部を有し、
アンカーシートを、オーバーラップするように床上に敷くステップと、
アンカーシートのコーナを突き合わせるようにアンカーシートを整列させるステップと、
アンカーシートのコーナによって形成される頂点の削厚区域に取り付け装置を挿入するステップと、
少なくともいくつかの取り付け装置を、床あるいはそれがオーバーラップするアンカーシートに取り付けるステップとを含むことを特徴とする方法。
【請求項２３】  少なくともいくつかの取り付け装置を床あるいはそれがオーバーラップするアンカーシートに取り付けるステップが、いくつかの取り付け装置を床に取り付け、残りの取り付け装置をそれがオーバーラップするアンカーシートに取り付けるステップからなることを特徴とする請求項２２に記載の方法。
【請求項２４】  少なくともいくつかの取り付け装置を床あるいはそれがオーバーラップするアンカーシートに取り付けるステップが、すべての取り付け装置をそれがオーバーラップするアンカーシートに取り付けるステップからなることを特徴とする請求項２２に記載の方法。
【請求項２５】  少なくともいくつかの取り付け装置を床あるいはそれがオーバーラップするアンカーシートに取り付けるステップが、すべての取り付け装置を床に取り付けるステップからなることを特徴とする請求項２２に記載の方法。
【請求項２６】  アンカーシートおよび取り付け装置に、装飾被覆材を取り外し可能に取り付けるステップをさらに含むことを特徴とする請求項２２に記載の方法。
【請求項２７】  取り付け装置が第１区域および第２区域より小さく、オーバーラップするように床上にアンカーシートを敷くステップが、隣接するアンカーシートとの間に間隙があるように床上にアンカーシートを敷くステップを含むことを特徴とする請求項２５に記載の方法。
【請求項２８】  床を覆って、取り外し可能な装飾床被覆材を支える下地床であって、
取り外し可能な取り付け手段によっておおむね覆われている第１上面をそれぞれ有する複数のアンカーシートであって、床をおおむね覆うように配列されて下地床を形成する複数のアンカーシートであり、第１区域でアンカーシートの厚さを削減した第１形状の凹部と、第１区域内に、より小さい第２区域の第２形状の、アンカーシートを貫通した完全切除部とを有するアンカーシートと、
取り外し可能な取り付け手段によっておおむね覆われている第２上面をそれぞれ有する複数の取り付け装置であって、凹部に嵌合するような形状の第１部分と、完全切除部に嵌合する形状の第２部分とを有する複数の取り付け装置であり、複数の凹部および完全切除部に挿入され、少なくともいくつかの取り付け装置が床に取り付けられている、複数の取り付け装置とを含むことを特徴とする下地床。
【請求項２９】  アンカーシートが、下部を切欠いて、アンカーシートのオーバーハング区域と、オーバーハングのおおむね下に少なくとも２つの隣接する下端部とを作った少なくとも２つの隣接する端部を有し、
アンカーシートが、上部を切欠いて、アンカーシートのアンダーレイ区域を作り、アンダーレイの外端部に少なくとも２つの隣接するアンダーレイ端部を残した少なくとも２つの隣接する端部を有し、
複数のアンカーシートが、床をおおむね覆うようにオーバーラップして配列されて下地床を形成することを特徴とする請求項２８に記載の下地床。
【請求項３０】  取り外し可能手段が、フックおよびループ取り付けシステムで用いるフックであることを特徴とする請求項２８または請求項２９に記載の下地床。
【請求項３１】  アンカーシートが、第１弾性層で覆われた第１下面を、第１上面と向かい合って有し、
取り付け装置が、第２弾性層で覆われた第２下面を、第２上面と向かい合って有することを特徴とする請求項３０に記載の下地床。
【請求項３２】  第１弾性層および第２弾性層が、弾性クッションの特性を有する構造であることを特徴とする請求項３０に記載の下地床。
【請求項３３】  いくつかの取り付け装置が、アンカーシートに取り付けられることを特徴とする請求項３０に記載の下地床。
【請求項３４】  アンカーシートが矩形であることを特徴とする請求項３０に記載の下地床。
【請求項３５】  アンカーシートが正多角形であることを特徴とする請求項３０に記載の下地床。
【請求項３６】  アンカーシートが、軟質剛性上面を有することを特徴とする請求項３０に記載の下地床。
【請求項３７】  複数の凹部および完全切除部に挿入された複数の取り付け装置が第１区域および第２区域より小さく、したがって、周囲のアンカーシートが取り付け装置に対して動くことができ、さらに隣接するアンカーシートとの間に間隙があるようにアンカーシートが設置されていることを特徴とする請求項３０に記載の下地床。
【請求項３８】  第１の形状が、第２の形状と同じであることを特徴とする請求項３０に記載の下地床。
【請求項３９】  凹部および完全切除部が、アンカーシートのコーナにあることを特徴とする請求項３０に記載の下地床。
【請求項４０】  完全切除部が、下端部およびアンダーレイ端部の任意の２つによって形成された角部の頂点にあることを特徴とする請求項２９に記載の下地床。
【請求項４１】  第１形状が円であることを特徴とする請求項３０に記載の下地床。
【請求項４２】  第２形状が円であることを特徴とする請求項３０に記載の下地床。
【請求項４３】  第１形状が円であることを特徴とする請求項３８に記載の下地床。
【請求項４４】  装飾被覆材を取り付けるための下地床を設置するためのキットであって、
取り外し可能な取り付け装置によって、おおむね覆われた第１上面を有する少なくとも１枚のアンカーシートであって、第１区域でアンカーシートの厚さを削減した第１形状の凹部と、第１区域内に、第２形状のより小さな第２区域の、アンカーシートを貫通した完全切除部とを有する少なくとも１枚のアンカーシートと、
取り外し可能な取り付け装置用手段によっておおむね覆われた第２上面を有する少なくとも１つの取り付け装置であって、凹部に嵌合する形状の第１部分と、完全切除部に嵌合する形状の第２部分とを有する、少なくとも１つの取り付け装置とを含むことを特徴とするキット。
【請求項４５】  下部を切欠いて、アンカーシートのオーバーハング区域と、オーバーハングのおおむね下に少なくとも２つの隣接する下端部とを作った、少なくとも２つの隣接する端部を有する少なくとも１枚のアンカーシートと、
上部を切欠いて、アンカーシートのアンダーレイ区域を作り、アンダーレイの外端部に少なくとも２つの隣接するアンダーレイ端部を残した、少なくとも２つの隣接する端部を有する少なくとも１枚のアンカーシートとを、さらに含むことを特徴とする請求項４４に記載のキット。
【請求項４６】  フックおよびループ取り付けシステムに使用するフックである取り付け手段をさらに含むことを特徴とする請求項４４または請求項４５に記載のキット。
【請求項４７】  第１形状が、第２形状と同じ形状であることを特徴とする請求項４６に記載のキット。
【請求項４８】  凹部および完全切除部が、少なくとも１枚のアンカーシートのコーナにあることを特徴とする請求項４６に記載のキット。
【請求項４９】  少なくとも１枚のアンカーシートが第１下面を有し、アンカーシートの第１下面が第１弾性層によって覆われており、少なくとも１つの取り付け装置が第２下面を有し、取り付け装置の第２下面が第２弾性層で覆われていることを特徴とする請求項４６に記載のキット。
【請求項５０】  第１弾性層が弾性クッションの特性を有する構造であり、第２弾性層が弾性クッションの特性を有する構造であることを特徴とする請求項４９に記載のキット。
【請求項５１】  少なくとも１枚のアンカーシートが、矩形であることを特徴とする請求項４６に記載のキット。
【請求項５２】  少なくとも１枚のアンカーシートが、正多角形であることを特徴とする請求項４６に記載のキット。
【請求項５３】  少なくとも１枚のアンカーシートが、軟質剛性上面を有することを特徴とする請求項４６に記載のキット。
【請求項５４】  完全切除部が、下端部およびアンダーレイ端部の任意の２つによって形成される角部頂点にあることを特徴とする請求項４５に記載のキット。
【請求項５５】  第１部分が凹部より小さく、第２部分が完全切除部より小さいことを特徴とする請求項４６に記載のキット。
【請求項５６】  装飾被覆材に取り外し可能に取り付けるための下地床に用いるアンカーシートであって、
装飾被覆材に取り外し可能に取り付ける手段を有する上面と、
上面に対向する、弾性層で覆われている下面と、
第１区域でアンカーシートの厚さを削減した、第１形状の少なくとも１つの凹部と、
第１区域内に、第２形状のより小さな第２区域の、アンカーシートを貫通した少なくとも１つの完全切除部とを含むことを特徴とするアンカーシート。
【請求項５７】  下部を切欠いて、アンカーシートのオーバーハング区域と、オーバーハングのおおむね下に少なくとも２つの隣接する下端部とを作った、少なくとも２つの隣接する端部を有するアンカーシートと、
上部を切欠いてアンカーシートのアンダーレイ区域を作り、アンダーレイの外端部に少なくとも２つの隣接するアンダーレイ端部を残した、少なくとも２つの隣接する端部を有するアンカーシートとをさらに含むことを特徴とする請求項５６に記載のアンカーシート。
【請求項５８】  取り付け手段が、フックおよびループ取り付けシステムに使用するフックであることを特徴とする請求項５６または請求項５７に記載のアンカーシート。
【請求項５９】  第１形状が、第２形状と同じ形状であることを特徴とする請求項５８に記載のアンカーシート。
【請求項６０】  凹部および完全切除部が、アンカーシートのコーナにあることを特徴とする請求項５８に記載のアンカーシート。
【請求項６１】  弾性層が、弾性クッションの特性を有する構造であることを特徴とする請求項５８に記載のアンカーシート。
【請求項６２】  アンカーシートが矩形であることを特徴とする請求項５８に記載のアンカーシート。
【請求項６３】  アンカーシートが正多角形であることを特徴とする請求項５８に記載のアンカーシート。
【請求項６４】  アンカーシートが軟質剛性上面であることを特徴とする請求項５８に記載のアンカーシート。
【請求項６５】  装飾被覆材に取り外し可能に取り付けるために、対応するアンカーシートとともに下地床に用いる取り付け装置であって、アンカーシートは、第１区域でアンカーシートの厚さを削減した第１形状の凹部を有し、アンカーシートは第１区域内に、第２形状のより小さい第２区域の完全切除部を有し、
取り外し可能な取り付け手段を支持する第１上面と、
第１上面に取り付けられ、凹部に嵌合する形状にした第１部分と、
第１部分に取り付けられ、完全切除部に嵌合する形状にし、軟質剛性層で覆われた下部を有し、少なくとも１つの弾性層を有する第２部分とを含むことを特徴とする取り付け装置。
【請求項６６】  取り外し可能な取り付け手段が、フックおよびループ取り付けシステムで使用するフックであることを特徴とする請求項６５に記載の取り付け装置。
【請求項６７】  取り付け装置が、軟質剛性上面を有することを特徴とする請求項６６に記載の取り付け部品。
【請求項６８】  第１部分が、凹部より小さく、第２部分が、完全切除部より小さいことを特徴とする請求項６６に記載の取り付け装置。
【請求項６９】  床上にアンカーシートと取り付け部品の下地床を設置する方法であって、下地床が取り外し可能な装飾床被覆材を支え、前記アンカーシートが、装飾被覆材への取り外し可能な取り付け手段を有する上面と、第１形状の第１区域の削厚の凹段区画と、第１区域内に、第２形状のより小さな第２区域の、アンカーシートを貫通した完全切除部を有し、前記取り付け装置が、装飾被覆材への取り外し可能な取り付け手段を有する上面を有し、
アンカーシートを床上に敷くステップと、
完全切区域に取り付け装置を挿入するステップと、
少なくともいくつかの取り付け装置を、床あるいは周囲のアンカーシートに取り付けるステップとを含むことを特徴とする方法。
【請求項７０】  アンカーシートが、オーバーラップするように設計されており、アンカーシートを床上に敷くステップが、アンカーシートをオーバーラップするように床に敷くステップからなることを特徴とする請求項６９に記載の方法。
【請求項７１】  少なくともいくつかの取り付け装置を床あるいはそれがオーバーラップするアンカーシートに取り付けるステップが、いくつかの取り付け装置を床に取り付け、残りの取り付け装置をそれがオーバーラップするアンカーシートに取り付けるステップからなることを特徴とする請求項６９または請求項７０に記載の方法。
【請求項７２】  少なくともいくつかの取り付け装置を床あるいはそれがオーバーラップするアンカーシートに取り付けるステップが、すべての取り付け装置をそれがオーバーラップするアンカーシートに取り付けるステップからなることを特徴とする請求項６９または請求項７０に記載の方法。
【請求項７３】  少なくともいくつかの取り付け装置を床あるいはそれがオーバーラップするアンカーシートに取り付けるステップが、すべての取り付け装置を床に取り付けるステップからなることを特徴とする請求項６９または請求項７０に記載の方法。
【請求項７４】  アンカーシートおよび取り付け装置に装飾被覆材を取り付けるステップをさらに含むことを特徴とする請求項６９または請求項７０に記載の方法。
【請求項７５】  取り付け装置が第１区域および第２区域より小さく、当接させるように床上にアンカーシートを敷くステップが、隣接するアンカーシートとの間に間隙があるように床上にアンカーシートを敷くステップを含むことを特徴とする請求項７３に記載の方法。
【請求項７６】  上面および下面を有するアンカーシート下地床を床上に設置して、取り外し可能な装飾被覆材を支える方法であって、前記下地床が、下地床の上面から下地床の下面まで延在する通路を有し、前記上面が、装飾被覆材への取り外し可能な取り付け手段を有し、
アンカーシートを床上に配列するステップと、
通路に取り付け装置を挿入するステップと、
少なくともいくつかの取り付け装置を、床あるいは周囲のアンカーシートに取り付けるステップとを含むことを特徴とする方法。
【請求項７７】  アンカーシートが、オーバーラップするように設計されており、アンカーシートを床上に配列するステップが、アンカーシートをオーバーラップするように床に配列するステップからなることを特徴とする請求項７６に記載の方法。
【請求項７８】  少なくともいくつかの取り付け装置を床あるいはそれがオーバーラップするアンカーシートに取り付けるステップが、いくつかの取り付け装置を床に取り付け、残りの取り付け装置をそれがオーバーラップするアンカーシートに取り付けるステップからなることを特徴とする請求項７６または請求項７７に記載の方法。
【請求項７９】  少なくともいくつかの取り付け装置を床あるいはそれがオーバーラップするアンカーシートに取り付けるステップが、すべての取り付け装置をそれがオーバーラップするアンカーシートに取り付けるステップからなることを特徴とする請求項７６または請求項７７に記載の方法。
【請求項８０】  少なくともいくつかの取り付け装置を床あるいはそれがオーバーラップするアンカーシートに取り付けるステップが、すべての取り付け装置を床に取り付けるステップからなることを特徴とする請求項７６または請求項７７に記載の方法。
【請求項８１】  アンカーシートおよび取り付け装置に装飾被覆材を取り付けるステップをさらに含むことを特徴とする請求項７６または請求項７７に記載の方法。
【請求項８２】  取り付け装置が通路より小さく、当接させるように床上にアンカーシートを敷くステップが、隣接するアンカーシートとの間に間隙があるように床上にアンカーシートを敷くステップを含むことを特徴とする請求項８０に記載の方法。
【請求項８３】  アンカーシートが正方形のアンカーシートであり、前記上面がフックによっておおむね覆われており、フックは、前記ループによっておおむね覆われた下面を有する、上に載った装飾被覆材のループに取り付けるためのものであり、前記アンカーシートが、
下部を切欠いて、アンカーシートのオーバーハング区域と、オーバーハング区域のおおむね下に少なくとも２つの隣接する下端部を作った、少なくとも２つの隣接する端部と、
上部を切欠いて、アンカーシートのアンダーレイ区域を作り、アンダーレイの外端部に少なくとも２つの隣接するアンダーレイ端部を残した、少なくとも２つの隣接する端部と、
４つの円形凹部であって、円形凹部の１つが、２つの下端部によって形成された角部頂点を中心とし、円形凹部の１つが、２つのアンダーレイ端部によって形成された角部頂点を中心とし、円形凹部の２つが、アンダーレイ端部と下端部によって形成された角部頂点を中心とする、４つの円形凹部と、
４つの円形凹部より直径が小さく、かつ４つの円形凹部の中心に位置している、アンカーシートを貫通した４つの完全切除部とを含むことを特徴とする請求項５６に記載のアンカーシート。
【請求項８４】  第１表面および第２表面を有するシート、および第２表面上に取り付けられた弾性層を含むアンカーシートであって、
前記シートはポリプロピレンまたはポリエチレンから作製されており、前記シートは０．０２０インチと０．７５インチとの間の厚さを有することを特徴とするアンカーシート。
【請求項８５】  前記シートは０．０６２インチと０．７５インチとの間の厚さを有することを特徴とする請求項８４に記載のアンカーシート。
【請求項８６】  前記シートは約０．１２５インチの厚さを有することを特徴とする請求項８５に記載のアンカーシート。